(57)【要約】      （修正有）【課題】様々なヘッドレストに対して装着でき、着座者がヘッドレストに頭部を載置して頭部に負担をかけない、また長時間安楽に頭部を載置できるようなヘッドレストを提供する。【解決手段】理美容椅子に装着し、かつ背凭れに対して、ヘッドレスト昇降杆１ａにより上下動するヘッドレスト本体１に着脱自在に設けるとともに、前面部に凹み部２ａを設け、かつ凹み部２ａの周縁部にＶ字形状を成す凸部２ｂを設ける。また前記凹み部２ａおよびＶ字形状を成す凸部２ｂの表装張り部２ｅの内部にジェル３を内蔵させて構成する。【選択図】図３
0003149905.tif 000002
【実用新案登録請求の範囲】
【請求項１】
理美容椅子に装着され、かつ上下動するヘッドレスト本体に着脱自在に設けられるとともに、前面部に凹み部を設け、かつ前記凹み部の周縁部にＶ字形状を成す凸部を設けたことを特徴とする理美容椅子のヘッドレスト用カバー。
【請求項２】
前記凹み部およびＶ字形状を成す凸部の表装張り部の内部にジェルを内蔵したことを特徴とする請求項１記載の理美容椅子のヘッドレスト用カバー。
【請求項３】
前記ヘッドレストカバーの装着部にゴム等の弾性体を有することにより、前記ヘッドレストへの装着を容易にしたことを特徴とする請求項１記載の理美容椅子のヘッドレスト用カバー。
【請求項４】
前記ヘッドレストカバーの前面下方部および両側部に折返し部を設け、前面下方部および両側部の折返し部をホック等のボタンで留め、ヘッドレスト本体に装着したことを特徴とする請求項１記載の理美容椅子のヘッドレスト用カバー。
【考案の詳細な説明】
【技術分野】
【０００１】
本考案は、理美容院等で使用する理美容椅子のヘッドレストに装着するヘッドレスト用カバーに関する。
【背景技術】
【０００２】
従来における理美容椅子のヘッドレストにおいては、例えば、特許文献１に開示されている理美容椅子のヘッドレスト装置の開示があるが、従来の理美容椅子に装着され、かつ上下動自在に設けられている内部にウレタンなどの緩衝材を配して、外装をレザーなどの表装張りを施している。
【０００３】
これに開示されるヘッドレストは、上下動するヘッドレストの外面が略水平面を有するヘッドレストであり、該ヘッドレストに着座者の後頭部を直接保持するようにして使用されている。
【０００４】
但し、前記特許文献１に記載される理美容椅子のヘッドレストに、キズが着かないまた汚れなどの防止のために、布地のカバーなどをヘッドレストにカバーを施して使用する場合がある。
【０００５】
さらには特許文献２では、医療用椅子のヘッドレストが開示されているが、このヘッドレストは着座者が直接後頭部を受けるヘッドレストの前面に凹みが設けられているものがあり、頭部をしっかりとサポートするか、頭部が左右に動かないように固定する目的で使用されている。
【先行技術文献】
【特許文献】
【０００６】
【特許文献１】実開昭５９−９７６５０号公報
【特許文献２】実開昭６２−１１３５４５号公報
【考案の概要】
【考案が解決しようとする課題】
【０００７】
ところで、特許文献１および特許文献２にあっては、着座者が椅子のヘッドレストに直接後頭部を載置して使用している場合が多く、また医療用の椅子などの場合は、治療時に頭部を動かさないようにする。
【０００８】
また着座者の頭部のフイット感や安定感を持たすため、ヘッドレスト内面を凹み部として、着座者の頭部をサポートしているが、前記したような理美容椅子などの平面が略水平面になっているヘッドレストなどに使用でき、かつ着座者の頭部を柔らかく、かつ後頭部に負荷のかからないヘッドレスト状態を維持するヘッドレストが望まれていた。
【０００９】
また特許文献２の医療用椅子などのヘッドレストでは、直接ヘッドレスト本体の前面部を凹ませた状態のヘッドレストが開示されているが、着座者の後頭部をサポートできるが、安楽な状態ほを維持できるものではなかった。
【００１０】
以上のことから、このような椅子のヘッドレストにおいては、着座者は直接ヘッドレストに頭部を載置しているか、また布地などのカバーを覆ってその上に頭部を載置している場合がほとんどである。
また頭部を安定して保持するために、ヘッドレストの内部に内蔵されるウレタンなどでヘッドレスト自体に凹凸を施して、着座者の頭部を保持している。
【００１１】
このような従来の様々なヘッドレストに対して装着でき、かつすべての着座者に対して安楽に施術を受けられるべく、また着座者がヘッドレストに頭部を載置して頭部に負担をかけない、長時間安楽に頭部を載置できるようなヘッドレストが望まれていた。
【課題を解決するための手段】
【００１２】
本考案は前記した目的を達成せんとするもので、請求項１の手段は、理美容椅子に装着され、かつ上下動するヘッドレスト本体に着脱自在に設けられるとともに、前面部に凹み部を設け、かつ前記凹み部の周縁部にＶ字形状を成す凸部を設けた。
【００１３】
請求項２の手段は、前記凹み部およびＶ字形状を成す凸部の表装張り部の内部にジェルを内蔵した。
【００１４】
請求項３の手段は、前記ヘッドレストカバーの外縁部にゴム等の弾性体を有することにより、前記ヘッドレスト本体への装着を容易にした。
【００１５】
請求項４の手段は、前記ヘッドレストカバーの前面下方部および両側部に折返し部を設け、前面下方部および両側部に折返し部とをホック等のボタンで留め、ヘッドレスト本体に装着した。
【考案の効果】
【００１６】
本考案の理美容椅子のヘッドレスト用カバーは、前面部の中央部に凹み部を設け、かつ前記凹み部の周縁部にＶ字形状を成す凸部を設けることにより、着座者の後頭部と首部の境界部分をＶ字形状の下端部に保持できるようにしているため、着座者は後頭部を安定した状態でヘッドレスト本体に載置することができ、着座者に対して施術が長時間にわたっても安楽なヘッドレストの状態で施術を受けることができる。
【００１７】
またジェルをヘッドレストカバーの前面凹み部およびと凸部の内部に内蔵することによって、着座者の後頭部の形状の相違に対応できるようにし、さらに安楽な状態で施術を受けることができるものである。
【００１８】
さらには、該ヘッドレスト用カバーの外縁部をゴムなどの弾性体にしているため、該ヘッドレストカバーをヘッドレスト本体に覆うようにして、該ヘッドレストカバーの外縁部２ｃを広げて、ヘッドレスト本体に容易に装着できるようになる。
【００１９】
また前面下方側折返し部と両側折返し部に雄または雌のいずれかのホック等のボタンを設けることにより、へッドレスト本体に簡易に装着できるようになっている。
【図面の簡単な説明】
【００２０】
【図１】ヘッドレストカバーの断面図である。
【図２】ヘッドレストカバーの後方側斜視図である。
【図３】理美容椅子のヘッドレストに取り付けられた状態の断面図である。
【図４】理美容椅子のヘッドレストに取り付けられた状態の前方側斜視図である。
【図５】理美容椅子のヘッドレストに取り付けられた状態の後方側斜視図である。
【図６】ヘッドレストカバーをホックで取付けする場合の後方側斜視図である。
【考案を実施するための形態】
【００２１】
以下、本考案に係る理美容椅子のヘッドレスト用カバーの実施例を図面とともに説明する。
図１はヘッドレストカバーの断面図、図２はヘッドレストカバーの後方側斜視図、図３は理美容椅子のヘッドレストに取り付けられた状態の断面図、図４は理美容椅子のヘッドレストに取り付けられた状態の前方側斜視図、図５は理美容椅子のヘッドレストに取り付けられた状態の後方側斜視図であり、図６はヘッドレストカバーをホックで取付けする場合の後方側斜視図である。
【００２２】
本考案の実施例について説明すると、１は理美容椅子の背凭れに対して上下動するヘッドレスト本体、１ａは理美容椅子の背凭れに対してヘッドレスト本体１を上下動させるためのヘッドレスト昇降杆であり、１ｂは前記昇降杆１ａの上下動をロックおよびロック解除するための操作レバーである。
【００２３】
２はヘッドレスト用カバー、２ａは凹み部、２ｂは凸部、２ｃはゴムなどの弾性体を有する外縁部、２ｄはウレタン、２ｅはレザーなどの表装張り部である。
また２ｆは両側折返し部、２ｇは前面下方側折返し部、２ｈはホック等のボタンであり、いずれかが雄ホックボタンで他方は雌ホックボタンとして構成されている。３はジェルである。
【００２４】
以上の構成から、前記凹み部２ａと前記凸部２ｂの表装張り部２ｅの内部にはウレタン２ｄが内蔵され、凸部２ｂは内側に凹み部２ａを有したＶ字形状を成しているため、着座者が該ヘッドレスト用カバー２に後頭部を載置した場合、着座者の後頭部と首部の境界部分が該凸部２ｂの下端角部に保持されるようになっており、これにより着座者は安定した状態でヘッドレスト本体１側に頭部を載置でき、安楽な施術が受けられるようになる。
【００２５】
また前記凹み部２ａと前記凸部２ｂの表装張り部２ｅの内部にジェル３を内蔵することによって、さらに様々な形状を有する着座者の後頭部を十分に保持することができる。
【００２６】
次に前記該ヘッドレスト用カバー２をヘッドレスト本体１に装着する場合、該ヘッドレスト用カバー２の外縁部２ｃをゴムなどの弾性体にしているため、該ヘッドレストカバー２を前記ヘッドレスト本体１に覆うようにして、該ヘッドレストカバー２の外縁部２ｃを広げてヘッドレスト１に容易に装着できるようになっている。
【００２７】
さらには、前記ヘッドレストカバー２の前面下方側折返し部２ｇおよび両側折り返し部２ｆを設けているため、前面下方側折返し部２ｇと両側折返し部２ｆそれぞれに設けられる雄または雌のいずれかのホック等のボタン２ｈにより、前面下方側折返し部２ｇと両側折返し部２ｆとを留めることによって、ヘッドレスト本体１に容易に装着できるようにしている。
【符号の説明】
【００２８】
１      ヘッドレスト本体
１ａ    ヘッドレスト昇降杆
１ｂ    操作レバー
２      ヘッドレスト用カバー
２ａ    凹み部
２ｂ    凸部
２ｃ    外縁部
２ｄ    ウレタン
２ｅ    表装張り部
２ｆ    両側折返し部
２ｇ    前面下方側折返し部
２ｈ    ボタン
３      ジェル
【図１】
0003149905.tif 000003
【図２】
0003149905.tif 000004
【図３】
0003149905.tif 000005
【図４】
0003149905.tif 000006
【図５】
0003149905.tif 000007
【図６】
0003149905.tif 000008